(57)【要約】【課題】釘やネジ部材を使わず、簡単な構成および操作によりパチンコ台を島に着脱する。【解決手段】パチンコ台１４を島の上部枠１１に固定する上部取付け装置１０と島の下部枠３１に固定する下部取付け装置３０により島に固定する。上部取付け装置１０はパチンコ台１４を嵌め込んだときの位置を規制するストッパ１２と島の上部枠１１の下面に固定されたバネ部材１９とを備える。バネ部材１９は島の上部枠１１の下面から下方に向かい、且つパチンコ台１４の後方に向かって延びるバネ片２０を有しており、パチンコ台１４を島に嵌め込むと、パチンコ台１４の裏板１４２がストッパ１２のスライド軸１５に当接して位置が規定され、バネ片２０がパチンコ台１４の上側の枠１４１に食い込んで固定する。【選択図】        図１
2006271895.tif 000002
【特許請求の範囲】
【請求項１】
パチンコ台の上部を島の上部枠に固定する上部取付け装置およびパチンコ台の下部を島の下部枠に固定する下部取付け装置を具備するパチンコ台取付け装置であって、前記上部取付け装置は前記パチンコ台を嵌め込んだときの位置を規制するストッパと前記島の上部枠の下面に固定されたバネ部材とを備え、前記バネ部材は前記島の上部枠の前記下面から下方に向かい、且つ前記パチンコ台の後方に向かって延びるバネ片を有し、前記パチンコ台を前記島に嵌め込んだ際に前記バネ片が前記パチンコ台の上面に食い込んで固定することを特徴とするパチンコ台取付け装置。
【請求項２】
前記バネ部材が金属板で構成され、前記バネ片が前記金属板の面を歯状に切り起こして形成されたことを特徴とする請求項１に記載のパチンコ台取付け装置。
【請求項３】
前記バネ部材が複数の金属線の束で構成され、前記バネ片が前記金属線の束の先端部を屈曲して形成されたことを特徴とする請求項１に記載のパチンコ台取付け装置。
【請求項４】
前記バネ部材が前記島の上部枠の前記下面と前記パチンコ台の前記上面間に形成される空隙内に配置されたことを特徴とする請求項１から請求項３のいずれかに記載のパチンコ台取付け装置。
【請求項５】
前記ストッパは、前記パチンコ台の後面に当接して前記パチンコ台に対して前後方向に移動可能なスライド軸と、前記スライド軸の位置を固定するネジ部材と、前記島の上部枠に固定する固定部材とを有することを特徴とする請求項１に記載のパチンコ台取付け装置。
【請求項６】
前記ストッパは、前記島の上部枠の上面に固定される上板部と前記上部枠の後端面に固定される側板部と、前記側板部に挿通され前記パチンコ台に対して前後方向に移動可能なボルトを有していることを特徴とする請求項１に記載のパチンコ台取付け装置。
【請求項７】
前記下部取付け装置は前記島の下部枠に固定する台座部と、前記台座部上を前記パチンコ台に対して前後方向に移動可能なスライド部と、前記スライド部に設けられて前記パチンコ台の下枠を前記島の下部枠に押し付けて固定するバネ部材とを有することを特徴とする請求項１から請求項６のいずれかに記載のパチンコ台取付け装置。
【発明の詳細な説明】
【技術分野】
【０００１】
本発明は、枠形状の島にパチンコ台を固定して取付けるパチンコ台取り付け装置に関する。
【背景技術】
【０００２】
パチンコ台を店内に配列するには、通常店内に設置されている枠形状に形成した木製の島にパチンコ台をはめ込んで取り付けることにより行う。従来、パチンコ台を島にはめ込んで取り付けるには、パチンコ台の枠とゲージ盤を分離し、分離した枠を島に釘で止めてから枠にゲージ盤をはめ込んでいた。この作業はパチンコ台の枠とゲージ盤の分離作業、枠を島に取り付けるために釘を打ち込む作業および枠にゲージ盤をはめ込む作業が必要であり、特に枠を島に取り付ける釘打ち作業は、パチンコ台に所定の傾斜をつけるために傾斜器でパチンコ台の傾きを計測しながら正確に釘を打ち付ける必要があるので高度な技術を要し、大工などの専門家に頼まざるを得ない。また、釘をハンマーでたたいて打ち付けることにより島全体に歪みが生じたり、パチンコ台および島を傷めてその寿命を縮めるという問題点があった。また、パチンコ台の入替えのたびに釘を打ち付けることとなるため、島の中に木屑や釘が入り込みやすく、これらがパチンコ玉を島の上部に上げるリフトなどに入り込んでトラブルを起こすなどの問題点があった。さらに、パチンコ台の枠とゲージ盤の分離作業時に島や椅子に傷を付けるおそれがあった。
このような問題を解決するために、取付け用ネジ部材と固定部材締付用ネジ部材とを締め付けることによりパチンコ台を島に取り付け、保持部材固定用ネジ部材と保持部材調整用ネジ部材とによりパチンコ台の傾斜を調整することにより、釘を使わずにパチンコ台を島に取り付ける構成が提案されている（たとえば特許文献１参照）。
また、パチンコ台の上部および下部をそれぞれ固定するパチンコ台の取付け装置において、上部の取付け装置が、島の上枠に固定されてパチンコ台正面側に延びるガイド部材を備えた固定子と、ガイド部材に沿って前後に移動可能な可動子と、可動子の位置を特定する位置調整子とを備え、可動子が刺し爪および刺し爪の支持板を可動子に枢支させて支持板を回動させて刺し爪をパチンコ台の頂部に刺し込むことにより、釘を使わずにパチンコ台を島に取り付ける構成が提案されている（たとえば特許文献２参照）。
【特許文献１】実用新案登録第３００８９１１号公報（（００３１）〜（００３８）および図１など）
【特許文献２】特開２００４−８１７６２号公報（（０００９）〜（００１１）、（００１５）および図１〜図４など）
【発明の開示】
【発明が解決しようとする課題】
【０００３】
特許文献１における構成は、パチンコ台を島に取り付けるときはネジ部材を締め付け、パチンコ台の傾斜を調整するときはネジ部材を緩めて調整してから再度締め付けなければならないので、操作が面倒であり多くの手間と時間がかかるという課題がある。
一方、特許文献２における構成は、釘を使わずにパチンコ台の木枠を島の木枠に簡易に着脱できる構成ではあるが、上部の取付け装置がガイド部材を備えた固定子と、ガイド部材に沿って前後に移動可能な可動子と、可動子の位置を特定する位置調整子を備えており、刺し爪および刺し爪の支持板を可動子に枢支させて支持板を回動させることにより刺し爪をパチンコ台の頂部に刺し込むようにしているので、取付け装置の構成が複雑であるという課題がある。
また、最近のパチンコ台の枠はアルミニウムなどの金属枠やプラスチック枠になっているので、特許文献１や特許文献２による方法ではパチンコ台を島に取り付けることができないという課題がある。
【０００４】
そこで本発明はこのような課題を解消し、釘やネジ部材を使わず、簡単な構成の上部取付け装置によりパチンコ台を島に簡易に着脱できるパチンコ台取付け装置を提供することを目的とする。
【課題を解決するための手段】
【０００５】
請求項１記載の本発明のパチンコ台取付け装置は、パチンコ台の上部を島の上部枠に固定する上部取付け装置およびパチンコ台の下部を島の下部枠に固定する下部取付け装置を具備するパチンコ台取付け装置であって、前記上部取付け装置は前記パチンコ台を嵌め込んだときの位置を規制するストッパと前記島の上部枠の下面に固定されたバネ部材とを備え、前記バネ部材は前記島の上部枠の前記下面から下方に向かい、且つ前記パチンコ台の後方に向かって延びるバネ片を有し、前記パチンコ台を前記島に嵌め込んだ際に前記バネ片が前記パチンコ台の上面に食い込んで固定することを特徴とする。
請求項２記載の本発明は請求項１に記載のパチンコ台取付け装置において、前記バネ部材が金属板で構成され、前記バネ片が前記金属板の面を歯状に切り起こして形成されたことを特徴とする。
請求項３記載の本発明は請求項１に記載のパチンコ台取付け装置において、前記バネ部材が複数の金属線の束で構成され、前記バネ片が前記金属線の束の先端部を屈曲して形成されたことを特徴とする。
請求項４記載の本発明は請求項１から請求項３のいずれかに記載のパチンコ台取付け装置において、前記バネ部材が前記島の上部枠の前記下面と前記パチンコ台の前記上面間に形成される空隙内に配置されたことを特徴とする。
請求項５記載の本発明は請求項１に記載のパチンコ台取付け装置において、前記ストッパは、前記パチンコ台の後面に当接して前記パチンコ台に対して前後方向に移動可能なスライド軸と、前記スライド軸の位置を固定するネジ部材と、前記島の上部枠に固定する固定部材とを有することを特徴とする。
請求項６記載の本発明は請求項１に記載のパチンコ台取付け装置において、ストッパは、前記島の上部枠の上面に固定される上板部と前記上部枠の後端面に固定される側板部と、前記側板部に挿通され前記パチンコ台に対して前後方向に移動可能なボルトを有することを特徴とする。
請求項７記載の本発明は請求項１から請求項６のいずれかに記載のパチンコ台取付け装置において、前記下部取付け装置は前記島の下部枠に固定する台座部と、前記台座部上を前記パチンコ台に対して前後方向に移動可能なスライド部と、前記スライド部に設けられて前記パチンコ台の下枠を前記島の下部枠に押し付けて固定するバネ部材とを有することを特徴とする。
【発明の効果】
【０００６】
本発明によれば、上部取付け装置および下部取付け装置の構成および操作が簡単なパチンコ台取付け装置を提供することができる。特に上部取付け装置の構成が著しく簡単な構成とすることができる。したがって、パチンコ台の着脱やパチンコ台の傾斜の調整を専門家や熟練者に頼らずに素人により簡単に行うことができる。
また、取付け装置の製造コストが安価になり、且つ取り付け作業も短時間で行うことができるので、取り付けコストを低下させることができる。
また、上部取付け装置および下部取付け装置はそれぞれパチンコ台を前後に移動させることができるので、パチンコ台を所定の傾斜角度を持たせて設置することができる。
【発明を実施するための最良の形態】
【０００７】
本発明の第１の実施の形態によるパチンコ台取付け装置は、パチンコ台の上部を島の上部枠に固定する上部取付け装置を、パチンコ台を嵌め込んだときの位置を規制するストッパと島の上部枠の下面に固定されたバネ部材とにより構成し、バネ部材のバネをパチンコ台の上面に食い込ませて固定するもので、上部取付け装置の構成が著しく簡単であり、製造が簡単である。したがって製造コストも安価にすることができる。また、パチンコ台の着脱やパチンコ台の傾斜の調整を専門家や熟練者に頼らずに素人により簡単に行うことができるので、取り付け作業も短時間で行うことができる。
本発明の第２の実施の形態は、第１の実施の形態によるパチンコ台取付け装置において、金属板の面を歯状に切り起こしてバネ部材を形成したもので、上部取付け装置のバネ部材の構成が著しく簡単であり、製造も容易である。
本発明の第３の実施の形態は、第１の実施の形態によるパチンコ台取付け装置において、複数の金属線を束ねてその先端部を屈曲させてバネ部材を形成したもので、上部取付け装置のバネ部材の構成が著しく簡単であり、製造も容易である。
本発明の第４の実施の形態は、第１から第３の実施の形態によるパチンコ台取付け装置において、バネ部材を島の上部枠の下面とパチンコ台の上面間に形成される空隙内に配置したもので、パチンコ台に島への固定用取付金具を取り付けることなくパチンコ台の傾斜調整用の狭い空隙を有効に利用してパチンコ台を島に固定させることができる。
本発明の第５の実施の形態は、第１の実施の形態によるパチンコ台取付け装置において、ストッパをパチンコ台の傾斜を調整するためのスライド軸と、島の上部枠に固定する固定部材で構成したもので、ストッパの構成が簡単である。また、パチンコ台の傾斜調整作業も簡単に行うことができる。
本発明の第６の実施の形態は、第１の実施の形態によるパチンコ台取付け装置において、ストッパを島の上部枠の上面に固定される上板部と上部枠の後端面に固定される側板部と、側板部に挿通されパチンコ台に対して前後方向に移動可能なボルトで構成したもので、ストッパの構成が簡単である。また、パチンコ台の傾斜調整作業も簡単に行うことができる。
本発明の第７の実施の形態は、第１から第６の実施の形態によるパチンコ台取付け装置において、下部取付け装置を島の下部枠に固定する台座部と、台座部上を前後方向に移動可能なスライド部と、スライド部に設けられたパチンコ台固定用のバネ部材で構成したもので、下部取付け装置の構成が著しく簡単であるので製造が簡単である。したがって製造コストも安価にすることができる。また、パチンコ台の着脱やパチンコ台の傾斜の調整を専門家や熟練者に頼らずに素人により簡単に行うことができるので、取り付け作業も短時間で行うことができる。
【実施例１】
【０００８】
以下に、本発明のパチンコ台取付け装置の一実施例を図面に基づいて説明する。
図１は本発明の実施例１によるパチンコ台取付け装置の上部取付け装置の断面側面図、図２は上部取付け装置のストッパの斜視図、図３は上部取付け装置のバネ部材の斜視図である。上部取付け装置１０は島の上部枠１１の上面および側面にネジ１３により固定されるストッパ１２と、島の上部枠１１の下面に固定されるバネ部材１９とから構成される。ストッパ１２は、パチンコ台１４に対して前後方向に移動可能なスライド軸１５と、スライド軸１５が貫通してスライド軸１５を支持する支持部材１６と、スライド軸１５の位置をストッパ１２に固定するネジ部材１７と、ストッパ１２を島の上部枠１１に固定する固定部材１８とから構成されている。
島の上部枠１１の下面にはバネ部材１９が両面テープあるいはネジ止めにより固定されている。バネ部材１９は金属板で構成され、金属板の面を歯状に切り起こして形成した複数のバネ片２０が形成されている。バネ片２０は金属板の面からパチンコ台１４の後方に向かって約４５度の角度を有して延びている。すなわち、島の上部枠１１の下面から下方に向かい、且つパチンコ台１４の後方に向かって延びている。バネ片２０の数は特に限定されるものではないが、金属板の縦横に多数形成することが好ましい。バネ片２０の形状は任意であるが、金属板を先端が点となる三角形状に切り込んだおろし金状にしたものや、先端が線である四角形状に切り込んだ形状が好ましい。
通常パチンコ台１４の傾斜を調整するために、島の上部枠１１の下面とパチンコ台１４の上側の枠１４１の上面との間に２ｍｍ〜５ｍｍ程度の間隙が形成される。バネ片２０の島の上部枠１１の下面からの高さはこの間隙よりも1〜２ｍｍ大きくして３ｍｍ〜７ｍｍ程度にすることが好ましい。実際には施工会社による島の施工状態およびパチンコ台１４のメーカーによりパチンコ台１４の高さが異なるので、島の上部枠１１の下面とパチンコ台１４の上側の枠１４１の上面との間が異なる。したがって、バネ片２０の高さが３ｍｍ〜１ｍｍずつ異なる複数のバネ部材を用意し、そのときの間隙に最適なものを選択して使用する。
【０００９】
図４は本発明の実施例１によるパチンコ台取付け装置の下部取付け装置の斜視図、図５は下部取付け装置の断面側面図である。
下部取付け装置３０は島の下部枠３１に固定される台座部３２と、台座部３２の上をパチンコ台１４に対して前後方向に移動可能な平面状のスライド部３３と、スライド部３３上に設けられてパチンコ台１４の下枠を島の下部枠３１に押し付けて固定するバネ部材３４とから構成されている。台座部３２は島の下部枠３１にネジ止めやビス止めにより固定される。スライド部３３は台座部３２を跨るように配置され、台座部３２の上を矢印Ａ方向、すなわち、パチンコ台１４に対して前後方向に移動可能である。スライド部３３の移動位置はスライド部３３に形成されたスリット３５を貫通して台座部３２にネジ止めされる止めネジ３６により固定される。バネ部材３４はスライド部３３上に垂直方向に植立された一対のバネ支持板３７、３８により支持されたバネ３９と、バネ３９に連結した押さえ金具４０およびバネ３９による押さえ金具４０の押圧、解除を切り換えるロックレバー４１とから構成される。
【００１０】
つぎに、本発明の実施例１によるパチンコ台取付け装置を利用し、島にパチンコ台を取り付ける操作について説明する。
まず、上部取付け装置１０は、ストッパ１２の固定部材１８を島の上部枠１１の上面および側面にネジ１３により固定する。固定位置はパチンコ台１４が嵌め込まれたときのパチンコ台１４上端部裏側に対応する位置で、１台のパチンコ台１４に対して２箇所固定することが好ましい。このとき、パチンコ台１４が嵌め込まれたときのパチンコ台１４の傾斜を想定してスライド軸１５の先端位置をあらかじめ調整し、ネジ部材１７で固定する。パチンコ台１４の停止位置は、このスライド軸１５の先端位置により規定される。
バネ部材１９はバネ片２０の方向がパチンコ台１４の後方に向かうように島の上部枠１１の下面に両面テープあるいはネジ止めにより固定する。
一方、下部取付け装置３０は、台座部３２を島の下部枠３１の上面にネジ止めやビス止めにより固定する。固定位置は、上部取付け装置１０と同様に、パチンコ台１４が嵌め込まれたときのパチンコ台１４下端部裏側に対応する位置で、１台のパチンコ台１４に対して２箇所固定することが好ましい。
【００１１】
この状態でパチンコ台１４を島にはめ込み、まずパチンコ台１４の下側を下部取付け装置３０により固定する。このとき、図５に示すように、パチンコ台１４の下側の枠４２がスライド部３３に当たって位置が規定される。スライド部３３の位置は止めネジ３６を緩めてスライド部３３を図４の矢印Ｂ方向に移動させることにより調整可能である。この調整によりパチンコ台１４の下側の固定位置が移動するのでパチンコ台１４の傾斜を調整することができる。パチンコ台１４の下側の枠４２がスライド部３３に当たって位置が規定されると同時に押さえ金具４０の後部板４０１に当たるので、押さえ金具４０がバネ３９を中心に矢印Ｂ方向に回転して押さえ金具４０の爪４０２がパチンコ台１４の下側の枠４２に接触する。この状態でロックレバー４１をバネ３９側に倒すとバネ３９の力により押さえ金具４０がパチンコ台１４の下側の枠４２を強く押圧し、爪４０２がパチンコ台１４の下側の枠４２に食い込んで固定する。ロックレバー４１はバネ支持板３７のロック位置に嵌め込んで固定する。
【００１２】
一方、パチンコ台１４の上部は、図１に示すように、パチンコ台１４の上側の枠１４１の上面がバネ部材１９のバネ片２０の先端を摺動しながら矢印Ａ方向に移動し、パチンコ台１４の後面の裏板１４２がストッパ１２のスライド軸１５にあたった位置で移動が終了する。この場合、バネ片２０は島の上部枠１１の下面から下方に向かい、且つパチンコ台１４の後方に向かって延びているので、パチンコ台１４は矢印Ａ方向である後方には移動可能であるが、反対方向である前方側にはバネ片２０に遮られて移動しないので、後方向の一方向にのみ移動可能である。前述したようにバネ片２０の高さは島の上部枠１１の下面とパチンコ台１４の上側の枠１４１の上面との間隙よりも１〜２ｍｍ大きいので、移動が終了するとバネ片２０の先端はその偏倚力によりパチンコ台１４の上側の枠１４１に食い込んでパチンコ台１４の上面を固定する。
パチンコ台１４が固定された位置は、ストッパ１２のスライド軸１５で規定された位置であり、前述したように、スライド軸１５の先端位置をあらかじめパチンコ台１４の傾斜を想定して設定しておけばパチンコ台の傾斜調整も同時に完了させることができる。
なお、パチンコ台１４の上側を後方側に傾斜させたい場合には、ストッパ１２のネジ部材１７を緩め、スライド軸１５の位置を当該傾斜位置に対応する位置に移動させてネジ部材１７で固定すればよい。一方、パチンコ台１４の上側を前方側に傾斜させたい場合には、パチンコ台１４の上側の枠１４１の上面に沿って薄い金属板を挿入すると、薄い金属板によりバネ片２０のパチンコ台１４の上側の枠１４１への食い込みが解除されてパチンコ台１４の上側が矢印Ａの反対方向へも移動可能になるので、パチンコ台１４の上側を所定の傾斜位置に調整後、ストッパ１２のスライド軸１５の位置を移動させてネジ部材１７で固定すればよい。
【００１３】
パチンコ台１４を島から取り外す場合は、パチンコ台１４の上側の枠１４１の上面に沿って薄い金属板を挿入してバネ片２０のパチンコ台１４の上側の枠１４１への食い込みを解除し、下部取付け装置３０におけるロックレバー４１をロック位置からはずすと、パチンコ台１４の下側の枠４２を押圧している押さえ金具４０の押圧が解除されるので、パチンコ台１４を前方に引くと、島から容易に取り外すことができる。
【実施例２】
【００１４】
図６は本発明の実施例２によるパチンコ台取付け装置の上部取付け装置の断面側面図、図７は上部取付け装置のストッパの斜視図である。図６において図１と同一部分には同一符号を付して説明を省略する。実施例２の実施例１と異なる点は上部取付け装置１０におけるストッパ１２の構成である。
上部取付け装置２１は島の上部枠１１の上面および後端面にネジ２３により固定されるストッパ２２と、島の上部枠１１の下面に固定されるバネ部材１９とから構成される。ストッパ２２は、図６、図７に示すように、断面がＬ字形の鉄板などの金属製金具やプラスチックなどで構成され、島の上部枠１１の上面に固定される上板部２２１と、島の上部枠１１の後端面に固定される側板部２２２を有している。側板部２２２の先端部は、島の上部枠１１にパチンコ台１４を嵌め込んだ際に、側板部２２２の先端部がパチンコ台１４の裏面に対応する位置まで延びている。ストッパ２２の上板部２２１には、島の上部枠１１の上面に固定するためのネジ穴２２３が形成されている。また、側板部２２２には、島の上部枠１１の後端面に固定するためのネジ穴２２４およびパチンコ台１４に対して前後方向に移動可能なボルト２４を挿通するネジ穴２５が形成されている。
島の上部枠１１の下面には、実施例１と同様に、バネ部材１９が両面テープあるいはネジ止めにより固定されている。
【００１５】
つぎに、島にパチンコ台を取り付ける操作について説明する。
まず、ストッパ２２の側板部２２２のねじ穴２５にボルト２４を挿通し、島の上部枠１１にパチンコ台１４が嵌め込まれたときのパチンコ台１４の傾斜を想定してボルト２４の先端位置をあらかじめ調整する。パチンコ台１４を島の上部枠１１に嵌め込んだときの停止位置は、このボルト２４の先端位置により規定される。バネ部材１９は、バネ片２０の方向がパチンコ台１４の後方に向かうように島の上部枠１１の下面に両面テープあるいはネジ止めにより固定する。
一方、下部取付け装置３０は、台座部３２を島の下部枠３１の上面にネジ止めやビス止めにより固定する。固定位置は、上部取付け装置２１と同様に、パチンコ台１４が嵌め込まれたときのパチンコ台１４下端部裏側に対応する位置で、１台のパチンコ台１４に対して左右２箇所固定することが好ましい。
【００１６】
この状態でパチンコ台１４を島にはめ込み、まずパチンコ台１４の下側を下部取付け装置３０により固定する。固定方法は実施例１と同様であるので、説明を省略する。
つぎに、パチンコ台１４の上側を島に嵌め込む。このとき、パチンコ台１４の上側の枠１４１の上面がバネ部材１９のバネ片２０の先端を摺動しながら矢印Ａ方向に移動し、パチンコ台１４の後面の裏板１４２がストッパ２２のボルト２４の先端に当たる位置まで移動させて嵌め込む。この場合、実施例１と同様に、バネ部材１９のバネ片２０は島の上部枠１１の下面から下方に向かい、且つパチンコ台１４の後方に向かって延びているので、パチンコ台１４は矢印Ａ方向である後方には移動可能であるが、反対方向である前方側にはバネ片２０に遮られて移動しないので、後方向の一方向にのみ移動可能である。嵌め込みが終了するとバネ片２０の先端はその偏倚力によりパチンコ台１４の上側の枠１４１に食い込んでパチンコ台１４の上面を固定する。
パチンコ台１４が固定された位置は、ストッパ２２のボルト２４の先端で規定された位置であり、前述したように、スライド軸１５の先端位置をあらかじめパチンコ台１４の傾斜を想定して設定しておけばパチンコ台の傾斜調整も同時に完了させることができる。
パチンコ台１４を島にはめ込んだ後に、パチンコ台１４の上側の停止位置あるいは傾斜を調整する場合は、パチンコ台１４の上側の枠１４１の上面に沿って薄い金属板を挿入して、薄い金属板によりバネ片２０のパチンコ台１４の上側の枠１４１への食い込みを解除した状態でボルト２４を回転させてその先端位置を調整すればよい。
【００１７】
パチンコ台１４を島から取り外す場合は、パチンコ台１４の上側の枠１４１の上面に沿って薄い金属板を挿入してバネ片２０のパチンコ台１４の上側の枠１４１への食い込みを解除し、下部取付け装置３０におけるロックレバー４１をロック位置からはずすと、パチンコ台１４の下側の枠４２を押圧している押さえ金具４０の押圧が解除されるので、パチンコ台１４を前方に引くと、島から容易に取り外すことができる。
【００１８】
図８は本発明の実施例３によるパチンコ台取付け装置の上部取付け装置におけるバネ部材の斜視図である。
本実施例におけるバネ部材５０は多数の金属線５１を束にし、金属線５１の束の先端部５２を屈曲させて構成する。屈曲方向は金属線５１の束の根元部５３を島の上部枠１１の下面に取り付けたときに、先端部５２が島の上部枠１１の下面から下方に向かい、且つパチンコ台１４の後方に向かって延びる方向に屈曲させる。この構成のバネ部材５０を、先端部５２が島の上部枠１１の下面から下方に向かい、且つパチンコ台１４の後方に向かって延びる方向に、図１におけるバネ部材１９の代わりに島の上部枠１１の下面に取り付ける。この場合、バネ部材５０を複数個取り付けることが好ましい。
本実施例におけるバネ部材５０の、作用および効果は実施例１におけるバネ部材１９と同一であるので、説明は省略する。
【産業上の利用可能性】
【００１９】
本発明のパチンコ台取付け装置は、パチンコ店における枠形状の島にパチンコ台を固定するためのパチンコ台取付け装置として好適である。
【図面の簡単な説明】
【００２０】
【図１】本発明の実施例１によるパチンコ台取付け装置の上部取付け装置の断面側面図
【図２】本発明の実施例１によるパチンコ台取付け装置の上部取付け装置におけるストッパの斜視図
【図３】本発明の実施例１によるパチンコ台取付け装置の上部取付け装置におけるバネ部材の斜視図
【図４】本発明の実施例１によるパチンコ台取付け装置の下部取付け装置の斜視図
【図５】本発明の実施例１によるパチンコ台取付け装置の下部取付け装置の断面側面図
【図６】本発明の実施例２によるパチンコ台取付け装置の上部取付け装置の断面側面図
【図７】本発明の実施例２によるパチンコ台取付け装置の上部取付け装置におけるストッパの斜視図
【図８】本発明の実施例３によるパチンコ台取付け装置の上部取付け装置におけるバネ部材の斜視図
【符号の説明】
【００２１】
１０  上部取付け装置
１１  島の上部枠
１２  ストッパ
１３  ネジ
１４  パチンコ台
１５  スライド軸
１６  支持部材
１７  ネジ部材
１８  固定部材
１９  バネ部材
２０  バネ片
２１  上部取付け装置
２２  ストッパ
２３  ネジ
２４  ボルト
２５  ネジ穴
３０  下部取付け装置
３１  島の下部枠
３２  台座部
３３  スライド部
３４  バネ部材
３５  スリット
３６  止めネジ
３７、３８  バネ支持板
３９  バネ
４０  押さえ金具
４１  ロックレバー
４２  パチンコ台の下側の枠
５０  バネ部材
５１  金属線
５２  先端部
５３  根元部
１４１  パチンコ台の上側の枠
１４２  パチンコ台の裏板
２２１  上板部
２２２  側板部
２２３、２２４  ネジ穴  ４０１  後部板
４０２  爪
【図１】
2006271895.tif 000003
【図２】
2006271895.tif 000004
【図３】
2006271895.tif 000005
【図４】
2006271895.tif 000006
【図５】
2006271895.tif 000007
【図６】
2006271895.tif 000008
【図７】
2006271895.tif 000009
【図８】
2006271895.tif 000010